(57)【要約】【課題】施工作業が容易で、優れた意匠性を備え、さらに植物の手入れなどを適宜に行うことができる植物栽培装置を提供する。【解決手段】上面を開放した容器をなすプランター容器１を、床面の所定領域を構成するように複数配置し、複数のプランター容器１がなす領域内に踏み台をなす足場４０を備え、足場４０を備えた所望のプランター容器１を、床面の所定領域を構成する外側のプランター容器に囲まれた内側のプランター容器とした。【選択図】        図１５
2006087441.tif 000002
【特許請求の範囲】
【請求項１】
上面を開放した容器をなすプランター容器を、床面の所定領域を構成するように複数配置した植物栽培装置において、
複数のプランター容器がなす前記領域内に踏み台をなす足場を備え、前記足場を備えた所望のプランター容器は、前記床面の所定領域を構成する外側のプランター容器に囲まれた内側のプランター容器であることを特徴とする植物栽培装置。
【請求項２】
前記プランター容器のうち、所望のプランター容器内を空の状態とし、この所望のプランター容器の開放部を閉塞するように前記足場が嵌め込まれたことを特徴とする請求項１に記載の植物栽培装置。
【請求項３】
前記足場は、踏み板と該踏み板を所望の前記プランター容器の内底部上に支えるべき脚部材とで構成されていることを特徴とする請求項１又は２に記載の植物栽培装置。
【請求項４】
前記足場は、足場を構成する踏み板が、足場を有する前記プランター容器の開口縁に掛かって、その開口を閉鎖する高さとされていることを特徴とする請求項１乃至３のいずれか１項に記載の植物栽培装置。
【発明の詳細な説明】
【技術分野】
【０００１】
本発明は、主として、緑化対策の一貫として使用される植物栽培装置に関するものである。
【背景技術】
【０００２】
従来の植物栽培装置としては、特開平９−５１７２８号に開示されたものがある。この植物栽培装置は、複数のプランター容器１を主構成として、これらプランター容器１がそれぞれ連結されてなるものである。
【０００３】
プランター容器１は、図１６に示すように、平面視で正方形（または長方形）をなし、上側が開放するように構成されている。
プランター容器１の底部には、プランター容器１の中央において縦横に交差する十字状をなし、逆Ｕ字形断面の溝条よりなる係合部２が一体形成されている。係合部２の交差部には、プランター容器１の底部外側に通じる導通口３が設けられている。
プランター容器１の内側壁において、係合部２と同高さの位置には、段部４が一体形成されている。
プランター容器１の開口縁の相隣る二辺には、フック状に折り曲げられた連結部５が一体形成されている。
【０００４】
そして、図１７に示すように、プランター容器１内の底側において、係合部２の上端面２ａおよび段部４の上端面４ａより下側の保水部７に粒状物を敷き詰め、係合部２の上端面２ａおよび段部４の上端面４ａを介して通液性のある不織布層９を掛け設け、不織布層８の上に土壌９などを敷き詰めて所要の植物を植え込む。
続いて、植物が植え込まれたプランター容器１の各係合部２を、給水、給液（液状肥料や病害予防の薬液を水に溶解した溶液）、排水、通気などのために床面に略水平に配された配管６に係合させ、且つ配管６に適宜設けられた導通口６ａに対してプランター容器１側の導通口３を連通させて床面に配置する。
さらに、複数のプランター容器１を、個々のプランター容器１の連結部５を以て他のプランター容器１の開口縁（連結部５が設けられていない縁）に掛けて連結する。
【０００５】
そして、配管６に給水、給液を行い、配管６の導通口６ａからプランター容器１の導通口３を介してプランター容器１内の保水部７に供給する。また、降雨の際などによる過剰の水分を、プランター容器１の導通口３から配管６の導通口６ａを介して配管６に排水する。さらに、配管６の導通口６ａからプランター容器１の導通口３を介してプランター容器１内の保水部７に空気を強制供給し、植物の根腐れなどを防止する。
【発明の開示】
【発明が解決しようとする課題】
【０００６】
しかしながら、上述した従来の植物栽培装置では、以下の問題がある。
植物栽培装置をなすプランター容器１において、給水、給液を蓄える保水部７は、係合部２の上端面２ａおよび段部４の上端面４ａに掛け設けられた不織布層８により区分けされている。この保水部７には、不織布層８を確実に支持するために粒状物が敷き詰められている。
ところが、植物栽培装置を施工する際に、全てのプランター容器１へ粒状物を敷き詰める作業は、手間がかかる作業であって施工作業性を低下させる要因となる。
さらに、保水部７に粒状物が敷き詰められることによって重量が嵩むため、それぞれのプランター容器１を配管６に合わせて配置する際の作業が難行してしまう。
【０００７】
また、従来の植物栽培装置では、連結された最も外側のプランター容器１における外周部分が表出しているので、この種の植物栽培装置をベランダや屋上などの緑化や、短期のイベントなどにおける緑化に利用した場合には、表出された外周部分によって非常に見栄えが悪く、意匠性に欠けるという問題があった。
【０００８】
また、多数のプランター容器１を連結した場合、最も外側のプランター容器１には手が届くものの、外側のプランター容器１に囲まれた内側のプランター容器１には手が届かず、この内側のプランター容器１に対して、雑草の除去や植物への手入れなどが行き届かないという問題がある。
【０００９】
そこで本発明は、上記課題を解消するために、施工作業が容易で、優れた意匠性を備え、さらに植物の手入れなどを適宜に行うことができる植物栽培装置を提供することを目的としている。
【課題を解決するための手段】
【００１０】
上記目的を達成するため本発明による植物栽培装置は、上面を開放した容器をなすプランター容器１を、床面の所定領域を構成するように複数配置した植物栽培装置において、  複数のプランター容器１がなす前記領域内に踏み台をなす足場４０を備え、前記足場４０を備えた所望のプランター容器１は、前記床面の所定領域を構成する外側のプランター容器に囲まれた内側のプランター容器であるたことを特徴としている。
【００１１】
また、前記プランター容器のうち、所望のプランター容器内を空の状態とし、この所望のプランター容器の開放部を閉塞するように前記足場４０が嵌め込まれたことを特徴とする。
【００１２】
前記足場４０は、踏み板４１と該踏み板を所望の前記プランター容器１の内底部上に支えるべき脚部材４２とで構成されていることが望ましい。
【００１３】
前記足場４０は、足場を構成する踏み板４１が、足場を有する前記プランター容器１の開口縁に掛かって、その開口を閉鎖する高さとされていることが望ましい。
【００１４】
上記本発明は、所定箇所に導通口を有し床面に適宜に配置される配管と、上面を開放した容器をなし、その底部において前記配管と係合するとともに前記配管の導通口と連通し得る導通口が設けられた係合部を有し、さらに内側壁に沿って所定間隔をおき、前記係合部の上端面と略同一高さの上端面をなす複数の段付部を有し、且つ、前記係合部の上端面および前記段付部の上端面には、容器内を水分が貯留される下部領域の保水部と、植物が栽植される土壌などが敷き詰められる上部領域の栽植部とに分けて前記保水部の水分を給水し得る仕切材を有して構成され、床面に複数連結配置されるプランター容器と、を具備した植物栽培装置に有効に適応される。
【００１５】
上記本発明において、植物が植設されて床面に複数連結配置されたプランター容器１の外周部分および開口縁を覆うようにして囲む外枠体３０を設けることが望ましい。
【００１６】
上記外枠体３０は、前記プランター容器の側辺部に対応する側枠と、前記プランター容器の出角部に対応する出角枠と、前記プランター容器の配置によって生じる入角部に対応する入角枠とを有し、これら側枠、出角枠、入角枠を適宜に連結して、床面に複数連結配置された前記プランター容器の外周部分および開口縁を覆うようにして囲む構成とすることができる。
【発明の効果】
【００１７】
以上説明したように本発明による植物栽培装置によれば、床面に複数配置されたプランター容器のうち、所望のプランター容器内を空の状態とし、この所望のプランター容器内には足場が嵌め込まれて、複数のプランター容器がなす領域内に踏み台をなすことにより、例えば、他のプランター容器に囲まれた内側のプランター容器に踏み台を伝って近づくことが可能となって、この内側のプランター容器に対して雑草の除去や植物への手入れなどを容易に行うことができる。
【００１８】
また、前記足場は、単に踏み台として用いられるだけでなく、植物栽培装置の領域内での歩道となり、ある種の庭園をなすことができる。また、足場の配置により、植物栽培装置の領域内に様々な模様を構成して美観や意匠性を向上させることもできる。
【００１９】
上記足場を設けるとともに、植物が植設されて床面に複数連結配置されたプランター容器の外周部分および開口縁を覆うようにして囲む外枠体を備えたことにより、植物栽培装置の状態を安全に保持でき、見栄えについても一層良好となって意匠性を向上することができる。
【発明を実施するための最良の形態】
【００２０】
以下、本発明の実施の形態を図面を参照して具体的に説明する。
図１は本発明による植物栽培装置におけるプランター容器を示す平面図、図２は図１におけるＡ−Ａ断面図、図３は図１におけるＢ−Ｂ断面図である。
【００２１】
なお、以下に説明する実施の形態において、上述した従来の技術と同一または同等部分には同一符号を付す。
【００２２】
この実施の形態における植物栽培装置は、図１乃至図３に示すプランター容器１を主構成として、これらプランター容器１がそれぞれ連結されてなるものである。
【００２３】
プランター容器１は、平面視で正方形（あるいは長方形）をなし、上側が開放して形成されている。このプランター容器１の底部には、プランター容器１の中央にて縦横に交差する十字状をなし、逆Ｕ字形断面の溝条よりなる係合部２が一体形成されている。係合部２の交差部（交差部以外の所定箇所であってもよい）には、プランター容器１の底部外側に通じるように下方に垂下する漏斗状の導通口３が設けられている。
なお、導通口３は、係合部２の交差部（あるいは導通口３が設けられた係合部２の所定箇所）が細径に形成されていることにより、係合部２の上端面２ａよりも若干下がった位置で開口されている。
【００２４】
プランター容器１の内側壁の略中段には、段付部１２が一体形成されている。段付部１２は、上記係合部２の上端面２ａと同高さとなる上端面１２ａを有し、プランター容器１の内側壁に沿って所定間隔をおいて設けられて、平面視で凹凸状あるいは櫛歯状に配置されている。
なお、段付部１２は、プランター容器１の内側壁に沿って所定間隔をおいた凹凸状の配置として、例えば、プランター容器１の内側壁の一部をなす各内角部に配置されているなどの構成であってもよい。
【００２５】
このように、プランター容器１内は、係合部２の上端面２ａおよび段付部１２の上端面１２ａを基準とし、その下部領域を保水部７とし、その上部領域を栽植部１３として構成されている。
【００２６】
また、プランター容器１の開口縁の一方の相隣る二辺には、水平外方に張り出した張出片１４が前記一方の相隣る二辺よりなる角部を介して連続して一体形成されている。張出片１４は、各端部１４ａが、プランター容器１の開口縁において張出片１４をなさない他方の相隣る各辺との境となる角部の直前までとされている。また、張出片１４において、一方の相隣る二辺よりなる角部に相当する部分は、円弧状の縁取部１６をなしている。
【００２７】
張出片１４の張出端縁には、張出片１４の板厚分下方に折曲された係止片１７が形成されている。この係止片１７は、プランター容器１の開口縁の一方の相隣る二辺に対応するようにそれぞれ分けられていて、それぞれの一端１７ａが前記縁取部１６に係る手前に位置され、それぞれの他端１７ｂが張出片１４の端部１４ａに沿ってプランター容器１の開口縁側に折曲形成されている。
【００２８】
前記開口縁の一方の相隣る二辺と、他方の相隣る各辺との境となる角部には、張出片１４の板厚分の段差を以て下がって水平外方に張り出して形成されているとともに、張出片１４の端部１４ａの張出端縁から前記段差を介して連続し、張出片に対して４５度の面取りがされた面取部１５をなしている。
【００２９】
プランター容器１の開口縁の他方の相隣る二辺は、前記面取部１５から連続して張出片１４の板厚分下がって形成されているとともに、他の同一プランター容器１における張出片１４の係止片１７が掛かかり得る程度水平外方に張り出された掛止片１８をなしている。
この掛止片１８をなす他方の相隣る二辺よりなる角部には、掛止片１８よりもさらに掛止片１８の板厚分の段差を以て下がった位置で水平外方に張り出した段差部１８ａが形成されている。この段差部１８ａには円弧状の縁取部１９がなされている。
【００３０】
上記プランター容器１は、真空成形、圧空成形、射出成形または、プレス成形により形成され、プラスチック、セラミックあるいは金属などより構成され、プラスチックによる射出成形品が好ましい。
【００３１】
また、上記構成のプランター容器１において、植物栽培装置をなすために、係合部２の上端面２ａおよび段付部１２の上端面１２ａに対し、仕切材１１が掛け設けられる。
【００３２】
仕切材１１は、上述したプランター容器１の各段付部１２に架設し得る大きさに形成されていて、図４および図５に示すように、多数の貫通孔を有する硬質の板材、あるいは、網状板材よりなる剛性板材２０を主構成としいる。この剛性板材２０は、プラスッチック、金属あるいは多孔のセラミックス等により形成され、この実施の形態では、特に、プラスチックや金属線よりなる３次元的網状構造とされている。
【００３３】
剛性板材２０は、吸水性の不織布（不織マット）等よりなる吸水性布材２１により被覆されている。この吸水性布材２１における剛性板材２０の底面側では吸水性布材２１の一部が垂れ下がってなる給水体２２が設けられている。この給水体２２は、吸水性布材２１と別体に構成されていてもよい。
【００３４】
上記の仕切材１１は、剛性板材２０により十分な剛性を備え、さらに剛性板材２０の構成（貫通孔や網状構造など）と、吸水性布材２１の材質とのより通水性および通気性を備えている。
【００３５】
また、上記構成のプランター容器１において、植物栽培装置をなすために、係合部２は、配管６に対して適宜に係合される。
配管６は、プランター容器１内に、給水、給液（液状肥料や病害予防の薬液を水に溶解した溶液）、排水、通気などを行うために床面に略水平に配される。
この配管６は、プランター容器１の係合部２に係合し得る径をなし、プランター容器１の導通口３が差し込み連通される導通口６ａを有している。さらに、配管６は、適宜に施工し得るように分解組み立て可能に構成されている。
【００３６】
以下、上記プランター容器１などを用いた植物栽培装置を説明する。
図６に示すように、プランター容器１内の段付部１２の上端面１２ａおよび係合部２の上端面２ａに対して仕切材１１を載置して、保水部７と栽植部１３とを仕切材１１を以て分割する。仕切材１１の給水体２２は保水部７側に垂下されている。
次に、栽植部１３に土壌９などを敷き詰めて所要の植物を植え込む。
次に、プランター容器１の数およびプランター容器１の配置形状に応じて、配管６を組み立てて床面に配置する。この際、配管６は、少なくともプランター容器１に設けられた導通口３の下側を通過するように配されればよい。
次に、上記の如く植物が植え込まれた複数のプランター容器１を、配管６に設けられた導通口６ａに対してプランター容器１の導通口３を連通させて床面に配置する。
【００３７】
また、複数のプランター容器１を床面に配置する際、各プランター容器１は、以下のように連結される。なお、この実施の形態では、図７に示すように、最小単位として四個のプランター容器１Ａ、１Ｂ、１Ｃ、１Ｄを連結する例を挙げる。
【００３８】
図７および図８に示すように、床面に配置されたプランター容器１Ａの掛止片１８の上側から、プランター容器１Ｂの張出片１４およびプランター容器１Ｃの張出片１４を掛けて、それぞれ係止片１７を以てプランター容器１Ａに対してプランター容器１Ｂおよびプランター容器１Ｃを連結させる。
この際、プランター容器１Ａの段差部１８ａの上面には、プランター容器１Ｂの面取部１５、およびプランター容器１Ｃの面取部１５が、それぞれが張出片１４の板厚分の段差によって嵌合される。さらに、プランター容器１Ｂの面取部１５と、プランター容器１Ｃの面取部１５とは、それぞれ突き当たって、各面取部１５から繋がる各掛止片１８の上面が連続して面一とされる。
【００３９】
さらに、連続されたプランター容器１Ｂの掛止片１８およびプランター容器１Ａの掛止片１８の上側から、プランター容器１Ｄの張出片１４を掛けて、係止片１７を以てプランター容器１Ｂおよびプランター容器１Ｃに対してプランター容器１Ｄを連結させる。
この際、連続されたプランター容器１Ｂの面取部１５、およびプランター容器１Ｃの面取部１５の上面には、プランター容器１Ｄの縁取部１６が掛かる。
【００４０】
このようにして床面に配置された植物栽培装置は、プランター容器１の保水部７に上部（開放）からの供給水が貯留されて、仕切材１１の給水体２２を介して、毛細管現象により、栽植部１３（中の土壌９）へ水補給を行う。
【００４１】
降雨の際などによってプランター容器１へ侵入した水分は、土壌９および仕切材１１を介して保水部７に貯留されるとともに、過剰の水分はプランター容器１の導通口３から導通口６ａを介して配管６に排水される。
【００４２】
プランター容器１の導通口３は、係合部２の交差部が細径に形成されて、係合部２の上端面２ａよりも下側位置で開口されているため、保水部７に貯留される水分の上限は係合部２の上端面２ａよりも下側位置となる。
ゆえに、係合部２の上端面２ａに載置された仕切材１１の底面と、水分の上限との間には隙間２３が生じることとなる。
このように、隙間２３には、配管６の導通口６ａから導通口３を介して空気が供給されるので、仕切材１１を介して土壌９および土壌９に植設された植物に十分な酸素が供給される。
【００４３】
なお、プランター容器１の導通口３と、配管６の導通口６ａとの連結は、適当な環状パッキング材（不図示）を介して配管２の導通口２ａに液密に嵌合されるのが好ましい。
【００４４】
また、複数のプランター容器１を連結した際には、図７に示すように、全てのプランター容器１Ａ、１Ｂ、１Ｃ、１Ｄの交点となるプランター容器１Ａの段差部１８ａが、プランター容器１Ｂ、１Ｃの面取部１５によって被覆され、さらにプランター容器１Ｂ、１Ｃの面取部１５が、プランター容器１Ｄの縁取部１６によって被覆されるので、その交点となる部分に不用意な開口が生じることがない。
また、段差部１８ａが、面取部１５（掛止片１８）よりも掛止片１８の板厚分の段差を以て下がって形成され、さらに面取部１５が張出片１４よりも張出片１４の板厚分の段差を以て下がって形成されているので、複数のプランター容器１を連結した際には、各張出片１４の上面が面一とされる。
【００４５】
したがって、このように構成された植物栽培装置では、プランター容器１内の保水部７において、平面視で凹凸状に配された段付部１２を設けたことにより、保水部７に十分な容量を得るとともに、仕切材１１を十分に支持することができる。さらに、仕切材１１において、吸水性布材２１に被覆された剛性板材２０を備えた構成としたことにより、栽植部１３に敷き詰められる土壌９などを十分に支えることができる。
これにより、保水部７に粒状物が不要となって、植物栽培装置の施工時における粒状物の敷き詰め作業を省き、施工作業性を向上させる事ができる。
【００４６】
さらに、植物を植設した後、配管に対応して床面に配置される際のプランター容器１の保水部７は、空間となって何も詰められていない状態であり、その分重量が軽減されるので、それぞれのプランター容器１を配管６に合わせて配置する際の作業が容易となる。
【００４７】
また、プランター容器１の係合部２において、導通口３が配される交差部分を細径に形成して、導通口３の開口を仕切材１１が掛かる係合部２の上端面２ａなどよりも低位置としたことにより、保水部７に貯留される水分（給水、給液）の上限を係合部２の上端面２ａなどよりも低位置となって、水分（給水、給液）の上限と、係合部２の上端面２ａなどに掛かる仕切材１１の底面との間に隙間２３を生じさせるので、該隙間２３に配管６の導通口６ａから導通口３を介して空気を供給し、仕切材１１を介して土壌９および土壌９に植設された植物に十分な酸素を供給することができる。
【００４８】
なお、従来の技術では、複数のプランター容器１の連結において、プランター容器１の開口縁の相隣る二辺の連結部５を、他のプランター容器１の開口縁に掛けるようにしているが、この連結部５による連結では、図１８に示すように、四つのプランター容器１の交点となる部分に不用意な開口孔１０が生じ、この開口孔１０から降雨などに伴う排水が床面に漏れ出して、配管６への排水が確実に行われなくなってしまう。さらに、連結後では、連結部５による突出が随所に見受けられて非常に見栄えが悪い。
【００４９】
そこで、この実施の形態における植物栽培装置では、プランター容器１の開口縁において、一方の相隣る二辺に張出片１４を連続して設け、他方の相隣る二辺を張出片１４よりも張出片１４の板厚分の段差を以て下がって形成するとともに張出片１４が掛かる掛止片１８を設け、さらに他方の相隣る二辺よりなる角部に掛止片１８よりもさらに掛止片１８の板厚分の段差を以て下がる段差部１８ａを形成していることにより、例えば同一形状のプランター容器１を図７に示すように四個連結した場合に、全てのプランター容器１Ａ、１Ｂ、１Ｃ、１Ｄの交点となるプランター容器１Ａの段差部１８ａを、プランター容器１Ｂ、１Ｃの面取部１５によって被覆し、さらにプランター容器１Ｂ、１Ｃの面取部１５を、他のプランター容器１の縁取部１６によって被覆するので、上記交点となる部分に不用意な開口を生じさせることがなく、降雨などに伴う水を適宜に各プランター容器１内に取り込んで、過剰の水を配管６へ確実に排水することができる。
【００５０】
さらに、段差部１８ａが、面取部１５（掛止片１８）よりも掛止片１８の板厚分の段差を以て下がって形成され、さらに面取部１５が張出片１４よりも張出片１４の板厚分の段差を以て下がって形成されているため、複数のプランター容器１を連結した際には、各張出片１４の上面が面一とされるので、見栄えがよく意匠性を向上させることができる。
【００５１】
また、連結されるプランター容器１は、全て同一形状のものが用いられ、連結の際には別部材を用いることがないので、製造コストを低減することができ、且つ、連結作業を容易に行うことができる。
【００５２】
また、張出片１４をなす一方の相隣る二辺よりなる角部に相当する部分に、円弧状の縁取部１６をなし、さらに掛止片１８をなす他方の相隣る二辺よりなる角部（段差部１８ａ）に、円弧状の縁取部１９をなしたことにより、植物栽培装置の施工時において、プランター容器１を扱う際に手足などを怪我することのない作業上の安全性を得ることができる。
【００５３】
以下、上述した植物栽培装置の外枠構造を説明する。
図９および図１０は本発明による植物栽培装置の外枠構造を示す斜視図、図１１および図１２は外枠構造の他の連結構造を示す斜視図である。
【００５４】
この外枠構造は、上記のように複数のプランター容器１を以て適宜な形状に床面に配置された植物栽培装置の外周部分に対し外枠体３０が配置される。
【００５５】
外枠体３０は、連結されたプランター容器１の外周部分を囲むべく、図９および図１０に示すように、プランター容器１の各側辺部に対応する側枠３１と、プランター容器１の出角部に対応する出角枠３２と、プランター容器１の配置によって生じる入角部に対応する入角枠３３とを備えている。
【００５６】
側枠３１は、プランター容器１の開口縁をなす一辺と略同一の長さに対応し、プランター容器１の側辺部を被覆する側壁片３１ａと、プランター容器１の開口縁を被覆する上壁片３１ｂとを一体に有している。これら側壁片３１ａおよび上壁片３１ｂの外表面には、例えば木片を思わせるような立体模様が施されている。
【００５７】
側壁片３１ａの下端内側には、側枠３１を安定して床面に載置し得るように、台材３１ｃが一体に設けられている。この台材３１ｃ部分には、植物栽培装置を構成する配管６が係合される係合部３１ｄが、側壁片３１ａに沿って形成されているとともに、プランター容器１の係合部２に対応するように貫通形成されている。
【００５８】
出角枠３２は、前記側枠３１がプランター容器１の開口縁の相隣る二辺に対応して載置された際に、二個の側枠３１の間を出角状に繋ぐとともに、この相隣る二辺による出角部を被覆する側壁片３２ａと、上壁片３２ｂとを一体に有している。これら側壁片３２ａおよび上壁片３２ｂの外表面には、例えば木片を思わせるような立体模様が施されている。
【００５９】
側壁片３２ａの下端内側には、出角枠３２を安定して床面に載置し得るように、台材３２ｃが一体に設けられている。この台材３２ｃ部分には、植物栽培装置を構成する配管６が係合される係合部３２ｄが、側壁片３２ａに沿って折曲形成されている。
【００６０】
入角枠３３は、入角部をなすように略直角に組み合わせた際、プランター容器１の開口縁をなす一辺および他のプランター容器１の開口縁をなす一辺とを連続した略同一の形状および長さに対応し、プランター容器１の側辺部を被覆する側壁片３３ａと、プランター容器１の開口縁を被覆する上壁片３３ｂとを一体に有している。これら側壁片３３ａおよび上壁片３３ｂの外表面には、例えば木片を思わせるような立体模様が施されている。
【００６１】
側壁片３３ａの下端内側には、入角枠３３を安定して床面に載置し得るように、台材３３ｃが一体に設けられている。この台材３２ｃ部分には、植物栽培装置を構成する配管６が係合される係合部３３ｄが、側壁片３３ａに沿って折曲形成されているとともに、プランター容器１の係合部２に対応するように貫通形成されている。
【００６２】
このように構成された外枠体３０は、側枠３１同志、側枠３１および出角枠３２間、側枠３１および入角枠３３間、出角枠３２および入角枠３３間、入角枠３３同志を、相互に連結し、植物栽培装置をなすために連結された複数のプランター容器１の外周部分を被覆する。
【００６３】
側枠３１同志の連結構造は、図９に示すように、台材３１ｃの各端部に略凸字形状の嵌合溝３１ｅが設けられている。そして、各側枠３１の端部を合わせた際の各嵌合溝３１ｅに嵌合する略Ｉ字形状の嵌合部材３４以て、側枠３１同志を連結するように構成されている。
【００６４】
側枠３１および出角枠３２間の連結構造は、図９に示すように、出角枠３２の台材３２ｃの角部が嵌合突起３２ｅをなしている。そして、嵌合突起３２ｅに嵌合する折曲部３５ａを有するとともに、側枠３１の嵌合溝３１ｅに嵌合する形状の嵌合部材３５を以て、側枠３１の端部と出角枠３２とを合わせた状態で連結するように構成されている。
【００６５】
側枠３１および入角枠３３間の連結構造は、図１０に示すように、入角枠３３の各端部において、前記嵌合溝３１ｅと同様の略凸字形状の嵌合溝３３ｅが設けられている。そして、側枠３１の端部と出角枠３３の端部とを合わせた際の嵌合溝３１ｅおよび嵌合溝３３ｅに対して前記嵌合部材３４を嵌合させることにより、側枠３１と出角枠３３とを連結する。
【００６６】
出角枠３２および入角枠３３間の連結は、出角枠３２と入角枠３３の端部とを合わせた際の嵌合突起３２ｅおよび嵌合溝３３ｅに対して前記嵌合部材３５を嵌合させればよい。
【００６７】
入角枠３３同志の連結は、各入角枠３３の端部を合わせた際の各嵌合溝３３ｅに対して前記嵌合部材３４を嵌合させればよい。
【００６８】
なお、出角枠３２の連結において、図１１に示すように、出角枠３２の台材３２ｃの角部に略Ｌ字形状の嵌合溝３２ｆを設け、この嵌合溝３２ｆに嵌合する折曲部３６ａを有するとともに、側枠３１の嵌合溝３１ｅ（あるいは入角枠３３の嵌合溝３３ｅ）に嵌合する形状の嵌合部材３６を以て、出角枠３２と側枠３１（あるいは入角枠３３）とを連結する構成としてもよい。
【００６９】
また、側枠３１、出角枠３２、入角枠３３相互の連結において、図１２に示すように、側枠３１、出角枠３２、入角枠３３にそれぞれ一体に形成された嵌合片３７と、この嵌合片３７に嵌合するように側枠３１、出角枠３２、入角枠３３にそれぞれ形成された嵌合凹部３８とを以て連結する構成としてもよい。
【００７０】
上記外枠体３０をなす側枠３１、出角枠３２、入角枠３３、および各嵌合部材３４，３５，３６は、押出成形、注型成形、射出成形または、プレス成形により形成され、プラスチック、セラミックあるいは金属などより構成され、廃プラスチックによる注型成形が好ましい。
【００７１】
したがって、このように構成された植物栽培装置の外枠構造は、図１３に示すように、外枠体３０によって、植物栽培装置をなすために連結された複数のプランター容器１の外周部分が被覆されるので、上記植物栽培装置を所望の場所の緑化に利用した際に見栄えが良くなり、意匠性を向上することができる。
【００７２】
また、上記外枠構造は、側枠３１、出角枠３２、入角枠３３相互の連結によりなるものなので、その施工作業を容易に行うことができ、且つ、様々な形状に連結された植物栽培装置に対応することができる。
【００７３】
ところで、この実施の形態における植物栽培装置では、その領域内に足場４０を設けることが可能とされている。
足場４０は、図１４に示すように、踏み板４１と、踏み板４１を支えるべき脚部材４２とで構成されている。
【００７４】
踏み板４１は、単一のプランター容器１の開口縁に掛かるべき大きさに形成されている。
脚部材４２は、断面略×字形状に形成され、踏み板４１の底部の四箇所に均等配置されるように一体形成されている。この脚部材４２は、プランター容器１内において、係合部２によって四分割された保水部７に載置し得るように構成されている。また、脚部材４２の高さは、プランター容器１内に載置された際に、踏み板４１がプランター容器１の開口縁に掛かって、その開口を閉塞する高さとされている。
【００７５】
このように構成された足場４０は、空の状態とされたプランター容器１内に載置されて、プランター容器１の開口を閉塞し、図１５に示すように、植物栽培装置の領域内に踏み台として設置される。
【００７６】
上記足場４０は、押出成形、注型成形、射出成形または、プレス成形により形成され、プラスチック、セラミックあるいは金属などより構成され、廃材プラスチックによる注型成形が好ましい。
【００７７】
したがって、足場４０によれば、外側のプランター容器１に囲まれた内側のプランター容器１に対し、足場４０を踏み台として伝って近づくことが可能となるので、雑草の除去や植物への手入れなどを容易に行うことができる。
【００７８】
また、上記足場４０は、単に踏み台として用いられるだけでなく、図１５に示すように、植物栽培装置の領域内に歩道を設け、ある種の庭園のように構成することができる。また、足場４０の配置により、植物栽培装置の領域内に様々な模様を構成して美観や意匠性を向上させることができる。
【００７９】
なお、上述した植物栽培装置は、図１５に示す組合せ形状の他、設置する場所（床面積等）に応じて、例えばＴ字形、Ｌ字形、十字形などの様々な形状の緑化領域を構成することができる。
【００８０】
このように、上述した実施の形態における植物栽培装置を採用することにより、所望の床面積中に、十分な機能を有した植物栽培プラントを、容易な施工で、短時間で実施することが可能となる。
また、上記植物栽培装置は、各構成が可搬性を有しているので、部分的なプランター容器の取り換え、配置換え、解体などが容易に行えるので、短期間のイベントにおける緑化にも採用することができる。
【図面の簡単な説明】
【００８１】
【図１】本発明による植物栽培装置におけるプランター容器を示す平面図。
【図２】図１におけるＡ−Ａ断面図。
【図３】図１におけるＢ−Ｂ断面図。
【図４】同植物栽培装置における仕切材の分解斜視図。
【図５】同植物栽培装置における仕切材の断面図。
【図６】同植物栽培装置の使用状態を示す断面図。
【図７】プランター容器を複数連結させた平面図。
【図８】プランター容器を複数連結させた側断面図。
【図９】本発明による植物栽培装置の外枠構造を示す斜視図。
【図１０】本発明による植物栽培装置の外枠構造を示す斜視図。
【図１１】同外枠構造の他の連結構造を示す斜視図。
【図１２】同外枠構造の別の連結構造を示す側面図。
【図１３】同外枠構造の使用状態を示す断面図。
【図１４】本発明による植物栽培装置の足場を示す斜視図。
【図１５】本発明による植物栽培装置とその外枠構造および足場の使用状態を示す平面図。
【図１６】従来の植物栽培装置におけるプランター容器を示す平面図。
【図１７】従来の植物栽培装置の使用状態を示す断面図。
【図１８】従来の植物栽培装置の連結状態を示す平面図。
【符号の説明】
【００８２】
１…プランター容器、２…係合部、２ａ…（係合部の）上端面、３…（係合部の）導通口、６…配管、６ａ…（配管の）導通口、７…保水部、９…土壌、１１…仕切材、１２…段付部、１２ａ…（段付部の）上端面、１３…栽植部、２２…給水部、３０…外枠、３１…側枠、３２…出角枠、３３…入角枠、４０…足場。
【図１】
2006087441.tif 000003
【図２】
2006087441.tif 000004
【図３】
2006087441.tif 000005
【図４】
2006087441.tif 000006
【図５】
2006087441.tif 000007
【図６】
2006087441.tif 000008
【図７】
2006087441.tif 000009
【図８】
2006087441.tif 000010
【図９】
2006087441.tif 000011
【図１０】
2006087441.tif 000012
【図１１】
2006087441.tif 000013
【図１２】
2006087441.tif 000014
【図１３】
2006087441.tif 000015
【図１４】
2006087441.tif 000016
【図１５】
2006087441.tif 000017
【図１６】
2006087441.tif 000018
【図１７】
2006087441.tif 000019
【図１８】
2006087441.tif 000020